(57)【特許請求の範囲】
【請求項１】
所定の時間間隔で現在のセルのリソースブロックを監視し、監視結果を取得することと、
前記監視結果に基づき、送信リソースで送信されるセル参照信号の送信電力を指定電力まで低減することとを含み、
前記送信リソースは、少なくとも、シンボルおよび指定リソースブロックのうちの１つを含み、
前記指定リソースブロックは、少なくとも、スケジューリングされたリソースブロック、非スケジューリングされたリソースブロック、および中心のＮ個のリソースブロックのうちの１つを含み、Ｎは正の整数である、電力処理方法。
【請求項２】
前記監視結果に基づき、送信リソースで送信される前記セル参照信号の送信電力を指定電力まで低減することは、
少なくとも時間領域電力制御、周波数領域電力制御、および時間周波数領域電力制御のうちの１つを含む基地局のバックグラウンドの配置情報を取得することと、
前記監視結果および前記配置情報に基づき、送信リソースで送信される前記セル参照信号の送信電力を指定電力まで低減することとを含む、請求項１に記載の方法。
【請求項３】
所定の時間間隔で現在のセルのリソースブロックを監視し、監視結果を取得することは、
前記所定の時間間隔内で、前記現在のセルのリソースブロック内でスケジューリングされたリソースブロックが監視されたことを第１監視結果とすることと、
前記所定の時間間隔内で、前記現在のセルのリソースブロック内でスケジューリングされていないリソースブロックが監視されたことを第２監視結果とすることとを含む、請求項２に記載の方法。
【請求項４】
前記監視結果に基づき、セル参照信号の送信電力を指定電力まで低減する前に、
少なくとも１つの電力レベルを配置することを更に含み、
前記少なくとも１つの電力レベルは、いずれも基地局によって規定された電力レベルよりも小さく、且つ、前記少なくとも１つの電力レベルが複数の電力レベルである場合、前記複数の電力レベルは互いに異なり、前記複数の電力レベルを配置する際に、前記複数の電力レベルは第１電力レベルおよび第２電力レベルを含み、
前記第１電力レベルは、一部の端末がスリープ状態にある場合、非中心のＮ個のリソースブロックまたは指定シンボルで送信される電力レベルを含み、前記第２電力レベルは、全ての端末がスリープ状態にある場合、非中心のＮ個のリソースブロックで送信される電力レベルを含む、請求項３に記載の方法。
【請求項５】
前記監視結果が第１監視結果を含む場合、前記第１監視結果および前記配置情報に基づき、送信リソースで送信されるセル参照信号の送信電力を指定電力まで低減することは、
前記配置情報が前記時間領域電力制御として表される場合、シンボル０／１において、前記基地局によって規定された電力で前記セル参照信号を送信し、前記現在のセルのシンボル０／１以外の他のシンボルにおいて、前記第１電力レベルで前記セル参照信号を送信することと、
前記配置情報が前記周波数領域電力制御として表される場合、中心のＮ個のリソースブロックおよび前記スケジューリングされたリソースブロックにおいて、前記基地局によって規定された電力で前記セル参照信号を送信し、前記非スケジューリングされたリソースブロックにおいて、前記第１電力レベルで前記セル参照信号を送信することと、
前記配置情報が前記時間周波数領域電力制御として表される場合、シンボル０／１において、前記基地局によって規定された電力で前記セル参照信号を送信し、前記中心のＮ個のリソースブロックおよびスケジューリングされたリソースブロックにおいて、前記基地局によって規定された電力で前記セル参照信号を送信し、非スケジューリングされたリソースブロックにおいて、前記第１電力レベルで前記セル参照信号を送信することとを含む、請求項４に記載の方法。
【請求項６】
前記監視結果が第２監視結果を含む場合、前記現在のセル内の端末の全てがスリープ状態に入ったか否かを判断し、判断結果を取得することと、
前記第２監視結果、前記判断結果および前記配置情報に基づき、送信リソースで送信される前記セル参照信号の送信電力を指定電力まで低減することとを更に含む、請求項４に記載の方法。
【請求項７】
前記第２監視結果および前記判断結果に基づき、送信リソースで送信されるセル参照信号の送信電力を指定電力まで低減することは、
前記判断結果が、一部の端末がスリープ状態にあることを示し、且つ、前記配置情報が前記時間領域電力制御として表される場合、シンボル０／１において、前記基地局によって規定された電力で前記セル参照信号を送信し、前記現在のセルのシンボル０／１以外の他のシンボルにおいて、前記第１電力レベルで前記セル参照信号を送信することと、
前記判断結果が、一部の端末がスリープ状態にあることを示し、且つ、前記配置情報が前記周波数領域電力制御として表される場合、中心のＮ個のリソースブロックにおいて、前記基地局によって規定された電力で前記セル参照信号を送信し、前記中心のＮ個のリソースブロック以外の他のリソースブロックにおいて、前記第１電力レベルで前記セル参照信号を送信することと、
前記判断結果が、一部の端末がスリープ状態にあることを示し、且つ、前記配置情報が前記時間周波数領域電力制御として表される場合、シンボル０／１において、前記基地局によって規定された電力で前記セル参照信号を送信し、中心のＮ個のリソースブロックにおいて、前記基地局によって規定された電力で前記セル参照信号を送信し、非中心のＮ個のリソースブロックにおいて、前記第１電力レベルで前記セル参照信号を送信することと、
前記判断結果が、一部の端末がスリープ状態にあることを示す場合、中心のＮ個のリソースブロックにおいて、前記基地局によって規定された電力で前記セル参照信号を送信し、非中心のＮ個のリソースブロックにおいて、前記第２電力レベルで前記セル参照信号を送信することとを含む、請求項６に記載の方法。
【請求項８】
所定の時間間隔で現在のセルのリソースブロックを監視し、監視結果を取得するように構成される監視モジュールと、
前記監視結果に基づき、送信リソースで送信されるセル参照信号の送信電力を指定電力まで低減するように構成される低減モジュールと、を備え、
前記送信リソースは、少なくとも、シンボルおよび指定リソースブロックのうちの１つを含み、前記指定リソースブロックは、少なくとも、スケジューリングされたリソースブロック、非スケジューリングされたリソースブロック、および中心のＮ個のリソースブロックのうちの１つを含み、Ｎは正の整数である、電力処理装置。
【請求項９】
前記低減モジュールは、
時間領域電力制御、周波数領域電力制御、および時間周波数領域電力制御のうちの１つを含む基地局のバックグラウンドの配置情報を取得するように構成される取得ユニットと、
前記監視結果および前記配置情報に基づき、送信リソースで送信される前記セル参照信号の送信電力を指定電力まで低減するように構成される低減ユニットとを備える、請求項８に記載の装置。
【請求項１０】
プロセッサと、プロセッサ実行可能命令を記憶するように構成されるメモリとを備え、
前記プロセッサは、所定の時間間隔で現在のセルのリソースブロックを監視し、監視結果を取得し、前記監視結果に基づき、送信リソースで送信されるセル参照信号の送信電力を指定電力まで低減するように構成され、前記送信リソースは、少なくとも、シンボルおよび指定リソースブロックのうちの１つを含み、前記指定リソースブロックは、少なくとも、スケジューリングされたリソースブロック、非スケジューリングされたリソースブロック、および中心のＮ個のリソースブロックのうちの１つを含み、Ｎは正の整数である、電力処理装置。
【請求項１１】
前記プロセッサは、更に、少なくとも時間領域電力制御、周波数領域電力制御、および時間周波数領域電力制御のうちの１つを含む基地局のバックグラウンドの配置情報を取得し、前記監視結果および前記配置情報に基づき、送信リソースで送信される前記セル参照信号の送信電力を指定電力まで低減するように構成される、請求項１０に記載の装置。
【請求項１２】
記憶されたプログラムであって、実行されると、コンピュータに請求項１から７のいずれか１項に記載の方法を実行させるプログラムを含む、コンピュータ可読記憶媒体。
【発明の詳細な説明】
【技術分野】
【０００１】
本発明は、２０１７年０９月０６日に中国専利局に出願された出願番号が２０１７１０７９４６９８．２である中国特許出願に対して、優先権の利益を主張するものであり、該出願の全ての内容を引用により本発明に援用する。
【０００２】
本発明は、通信分野に関し、例えば、電力処理方法、装置、および記憶媒体に関する。
【背景技術】
【０００３】
電力制御は、基地局およびセルの両方とも備える必要のある重要な機能であり、現在、通信品質を確保した前提で送信電力を低減することにより、ネットワーク干渉を低減し、消費電力を低減することは主流となっている。
【０００４】
通常の場合、電力制御は、開ループ電力制御と閉ループ電力制御とに分けられる。
【０００５】
開ループ電力制御において、基地局と端末とは相互作用せず、主に特定の情報（例えば、特定チャネルの信号対雑音比、ネットワーク最適化履歴データ）によって単方向調整を行う。一般的には、計画された無線ユニット（Ｒａｄｉｏ  Ｒｅｍｏｔｅ  Ｕｎｉｔ、ＲＲＵ）の仕様、周波数帯域等の相関パラメータから相関電力の設定値を計算し、且つ、開ループ電力制御は、主に下り信号の調整に用いられる。
【０００６】
一方、閉ループ電力制御は、基地局と端末との相互作用によって電力調整を行い、主に上り信号の調整に用いられる。
【０００７】
開ループ電力制御は、シグナリングの相互作用を必要とせず、セルを最小粒度として全体的に調整・制御する時に、局所的な調整・制御を意図的に行うことができない。閉ループ電力制御には、多くのシグナリング相互メッセージが必要となり、ＵＥ粒度の調整・制御を行うことができる。
【０００８】
上記制御方法のいずれにおいても、セル間の干渉に関する場合、通常、協調するためにセル間の多くのシグナリングの相互作用が必要となり、且つ、粗調整以上はできない。また、開ループ電力制御は、特定の根拠（相関計画データ、相関履歴データ）に基づいて段階的に調整し、通常、時間間隔が大きい。一方、閉ループ電力制御は、ユーザ機器（Ｕｓｅｒ  Ｅｑｕｉｐｍｅｎｔ、ＵＥ）、ひいては隣接セルと相互作用する必要があり、調整間隔も小さくない。上記２種類の電力制御方法は、伝送遅延等の主要業績評価指標（Ｋｅｙ  Ｐｅｒｆｏｒｍａｎｃｅ  Ｉｎｄｉｃａｔｏｒ、ＫＰＩ）にも一定の悪影響を与える。上記の場合は、セル参照信号の送信シーンでよく発生する。
【０００９】
参照信号は送信機から送信される基本信号であり、無線ネットワークにおける受信機の正常な動きの基礎であり、カバレッジを判断する機能、無線環境の状態（チャネル推定）を取得する機能、端末を補助して信号を復調する機能等を提供する。
【００１０】
端末が信号強度を判断しやすいために、プロトコルは、セルが参照信号を中断せずに送信することを要求するだけでなく、更に、参照信号の送信電力が一定に維持される必要があることを要求する。送信電力が一定に維持されるという特徴は、グローバル移動通信（Ｇｌｏｂａｌ  ｓｙｓｔｅｍ  ｆｏｒ  Ｍｏｂｉｌｅ  Ｃｏｍｍｕｎｉｃａｔｉｏｎ、ＧＳＭ）、符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）等のシステムにおいても同様である。従って、電力が一定であることは、セル参照信号の非常に重要な要求である。
【００１１】
ロングタームイボリューション（Ｌｏｎｇ−Ｔｅｒｍ  Ｅｖｏｌｕｔｉｏｎ、ＬＴＥ）システムでは、セル参照信号（Ｃｅｌｌ  Ｒｅｆｅｒｅｎｃｅ  Ｓｉｇｎａｌ、ＣＲＳ）がセルの帯域幅全体および全てのサブフレームで連続的に送信され、端末による使用に寄与するが、大きなセル間干渉が発生し、特に、セル負荷が軽いまたはセル間の負荷が不均衡なシーンでは、負荷の軽いセルＣＲＳが帯域幅全体で送信され、負荷の高いセルに大きな干渉を与える。同一周波数の隣接領域では、ＣＲＳの干渉がＵＥの復調能力に影響を及ぼすため、特に下り高次変調の使用を制限し、更に下りのスループットに影響を及ぼす。ＣＲＳ干渉は、ＬＴＥセル間干渉の主要成分の１つであり、信号対干渉雑音比（Ｓｉｎｇａｌ  ｔｏ  Ｉｎｔｅｒｆｅｒｅｎｃｅ  ｐｌｕｓ  Ｎｏｉｓｅ  Ｒａｔｉｏ、ＳＩＮＲ）に影響を及ぼし、更にユーザレートおよびセルスループットに影響を及ぼす重要な要因となり、将来の超高密度ネットワーク（Ｕｌｔｒａ  Ｄｅｎｓｅ  Ｎｅｔｗｏｒｋ、ＵＤＮ）性能の重要な影響要因でもある。
【００１２】
関連技術におけるセル参照信号の送信によるセル干渉がセルスループットに影響を及ぼす等の状況に対して、関連する技術案が提出されていない。
【発明の概要】
【発明が解決しようとする課題】
【００１３】
以下は、本文で詳細に説明する主題の概要である。本概要は特許請求の範囲を限定するものではない。
【００１４】
本発明の実施例は、関連技術におけるセル参照信号の送信によるセル干渉がセルスループットに影響を及ぼす等の状況の発生を回避できる電力処理方法、装置、および記憶媒体を提供する。
【課題を解決するための手段】
【００１５】
本発明の一実施例によれば、所定の時間間隔で現在のセルのリソースブロックを監視し、監視結果を取得することと、前記監視結果に基づき、送信リソースで送信されるセル参照信号の送信電力を指定電力まで低減することとを含む電力処理方法を提供する。ここで、前記送信リソースは、少なくとも、シンボルおよび指定リソースブロックのうちの１つを含み、前記指定リソースブロックは、少なくとも、スケジューリングされたリソースブロック、非スケジューリングされたリソースブロック、および中心のＮ個のリソースブロックのうちの１つを含み、Ｎは正の整数である。
【００１６】
本発明の別の実施例によれば、所定の時間間隔で現在のセルのリソースブロックを監視し、監視結果を取得するように構成される監視モジュールと、前記監視結果に基づき、送信リソースで送信されるセル参照信号の送信電力を指定電力まで低減するように構成される低減モジュールとを備え、前記送信リソースは、少なくとも、シンボルおよび指定リソースブロックのうちの１つを含み、前記指定リソースブロックは、少なくとも、スケジューリングされたリソースブロック、非スケジューリングされたリソースブロック、および中心のＮ個のリソースブロックのうちの１つを含み、Ｎは正の整数である電力処理装置を更に提供する。
【００１７】
本発明の別の実施例によれば、プロセッサと、プロセッサ実行可能命令を記憶するように構成されるメモリとを備え、前記プロセッサは、所定の時間間隔で現在のセルのリソースブロックを監視し、監視結果を取得し、前記監視結果に基づき、送信リソースで送信されるセル参照信号の送信電力を指定電力まで低減するように構成され、前記送信リソースは、少なくとも、シンボルおよび指定リソースブロックのうちの１つを含み、前記指定リソースブロックは、少なくとも、スケジューリングされたリソースブロック、非スケジューリングされたリソースブロック、および中心のＮ個のリソースブロックのうちの１つを含み、Ｎは正の整数である電力処理装置を更に提供する。
【００１８】
本発明の別の実施例によれば、記憶されたプログラムであって、実行されると、以上のいずれか１項に記載の電力処理方法を実行するプログラムを含む、記憶媒体を更に提供する。
【００１９】
図面および詳細な説明を読んで理解することで、他の態様も理解できる。
【図面の簡単な説明】
【００２０】
ここで説明する図面は、本発明に対する理解を提供し、本発明の一部を構成するためのものであり、本発明の模式的な実施例およびその説明は、本発明を解釈するためのものであり、本発明を不当に限定するものではない。
【００２１】
【図１】本発明の一実施例に係る電力処理方法の基地局のハードウェアの構造ブロック図である。
【図２】本発明による一実施例に係る電力処理方法のフローチャートである。
【図３】本発明による一実施例における電力送信分布模式図（１）である。
【図４】本発明による一実施例における電力送信分布模式図（２）である。
【図５】本発明による一実施例における電力送信分布模式図（３）である。
【図６】本発明による一実施例における電力送信分布模式図（４）である。
【図７】本発明による一実施例における電力送信分布模式図（５）である。
【図８】本発明による一実施例における電力送信分布模式図（６）である。
【図９】本発明による一実施例における電力処理装置の構造ブロック図である。
【図１０】本発明による一実施例における電力処理装置の別の構造ブロック図である。
【図１１】本発明による一実施例における電力処理装置の更なる構造ブロック図である。
【発明を実施するための形態】
【００２２】
以下、図面および実施例を参照しながら本発明について詳細に説明する。なお、矛盾しない限り、本発明に係る実施例および実施例における特徴は、互いに組み合わせることができる。
【００２３】
なお、本発明の明細書、特許請求の範囲、および上記図面における「第１」、「第２」等の用語は、類似する対象を区別するためのものであり、特定の順序または優先順位を記述するために用いる必要わけではない。
【００２４】
実施例１
本発明の実施例１に係る方法の実施例は、基地局または類似する演算装置において実行されてもよい。基地局上で動作する場合を例とし、図１は、本発明の実施例の電力処理方法の基地局のハードウェアの構造ブロック図である。図１に示すように、基地局１０は、少なくとも１つ（図中には１つのみが示される）のプロセッサ１０２（プロセッサ１０２がマイクロプロセッサＭＣＵまたはプログラマブルロジック素子ＦＰＧＡ等の処理装置を含んでもよいが、これらに限定されない）と、データを記憶するように構成されるメモリ１０４と、通信機能に用いられる伝送装置１０６とを備えてもよい。当業者であれば、図１に示す構造が模式的なものに過ぎず、上記電子装置の構造を限定するものではないことが理解できる。例えば、基地局１０は、図１に示す構造よりもより多いまたはより少ない構成要素を含んでもよく、または図１に示す構造と異なる配置を有してもよい。
【００２５】
メモリ１０４は、本発明の実施例における電力処理方法に対応するプログラム命令／モジュールのようなアプリケーションのソフトウェアプログラムおよびモジュールを記憶するように構成されてもよく、プロセッサ１０２は、メモリ１０４内に記憶されたソフトウェアプログラムおよびモジュールを実行することにより、複数種の機能アプリケーションおよびデータ処理を実行し、すなわち、上記方法を実現する。メモリ１０４は、高速ランダムメモリを含んでもよく、少なくとも１つの磁気記憶装置、フラッシュメモリ、または他の不揮発性固体メモリのような不揮発性メモリを含んでもよい。いくつかの実施例において、メモリ１０４は、プロセッサ１０２に対してリモートに設けられたメモリを含んでもよく、これらのリモートメモリは、ネットワークを介して基地局１０に接続されてもよい。上記ネットワークの実施例は、インターネット、イントラネット、ローカルエリアネットワーク、移動体通信ネットワークおよびそれらの組み合わせを含んでもよいが、これらに限定されない。
【００２６】
伝送装置１０６は、１つのネットワークを介してデータを受信または送信するように構成される。一実施例において、伝送装置１０６は、基地局を介して他のネットワークデバイスに接続されてインターネットと通信できる１つのネットワークアダプタ（Ｎｅｔｗｏｒｋ  Ｉｎｔｅｒｆａｃｅ  Ｃｏｎｔｒｏｌｌｅｒ、ＮＩＣ）を備える。一実施例において、伝送装置１０６は、無線方式によりインターネットと通信するように構成される無線周波数（Ｒａｄｉｏ  Ｆｒｅｑｕｅｎｃｙ、ＲＦ）モジュールであってもよい。
【００２７】
本実施例において、上記基地局で実行される電力処理方法を提供し、図２は、本発明による実施例の電力処理方法のフローチャートであり、図２に示すように、該フローはステップＳ２０２およびステップＳ２０４を含む。
【００２８】
ステップＳ２０２において、所定の時間間隔で現在のセルのリソースブロックを監視し、監視結果を取得する。
【００２９】
ステップＳ２０４において、上記監視結果に基づき、送信リソースで送信されるセル参照信号の送信電力を指定電力まで低減する。ここで、上記送信リソースは、少なくとも、シンボルおよび指定リソースブロックのうちの１つを含む。上記指定リソースブロックは、少なくとも、スケジューリングされたリソースブロック、非スケジューリングされたリソースブロック、および中心のＮ個のリソースブロックのうちの１つを含み、Ｎは正の整数である。
【００３０】
上記フローは、所定の時間間隔で現在のセルのリソースブロックを監視することができるため、更に、送信リソースで送信されるセル参照信号の送信電力を柔軟に調整（低減動作）することができる。従って、セル参照信号の送信電力を低減することにより、セル参照信号による他のセルへの干渉を回避し、更に他のセルへの干渉を低減し、セルスループットを向上させることができる。
【００３１】
実際の操作過程において、基地局のバックグラウンドの配置の結果が異なるため、時間領域の角度からセル参照信号の送信電力を指定電力まで低減する可能性があり、周波数領域の角度からセル参照信号の送信電力を指定電力まで低減する可能性があり、時間周波数領域の角度からセル参照信号の送信電力を指定電力まで低減する可能性もある。従って、上記ステップＳ２０４は様々な実現形態があり得、本発明の実施例において、少なくとも時間領域電力制御、周波数領域電力制御、および時間周波数領域電力制御のうちの１つを含む基地局のバックグラウンドの配置情報を取得するステップと、上記監視結果および上記配置情報に基づき、送信リソースで送信されるセル参照信号の送信電力を指定電力まで低減するステップとを含み、すなわち、本発明の実施例において、セル参照信号の送信電力を指定電力まで低減する時、監視結果に基づく必要があるだけでなく、更に配置情報の状況を考える必要がある。
【００３２】
上記ステップＳ２０２について、２種類の監視結果を得る可能性がある。例えば、所定の時間間隔内で、現在のセルのリソースブロックでスケジューリングされたリソースブロックが監視されたことを第１監視結果とし、上記所定の時間間隔内で、現在のセルのリソースブロックでスケジューリングされていないリソースブロックが監視されたことを第２監視結果とする。
【００３３】
なお、本発明の実施例における所定の時間間隔は、伝送時間間隔（Ｔｒａｎｓｍｉｓｓｉｏｎ  Ｔｉｍｅ  Ｉｎｔｅｒｖａｌ、ＴＴＩ）レベルの時間間隔であってもよく、本発明の実施例はこれについて限定しない。
【００３４】
本発明の実施例において、セル参照信号の送信電力をより良好に多段階的に低減するために、ステップＳ２０２を実行する前に、上記方法は、少なくとも１つの電力レベルを配置することを更に含み、ここで、上記少なくとも１つの電力レベルはいずれも基地局によって規定された電力レベルよりも小さく、且つ、前記少なくとも１つの電力レベルが複数の電力レベルである場合、上記複数の電力レベルは互いに異なり、複数の電力レベルを配置する際に、上記複数の電力レベルは第１電力レベルおよび第２電力レベルを含む。上記第１電力レベルは、一部の端末がスリープ状態にある場合、非中心のＮ個のリソースブロックまたは指定シンボルで送信される電力レベルを含み、上記第２電力レベルは、全ての端末がスリープ状態にある場合、非中心のＮ個のリソースブロックで送信される電力レベルを含む。
【００３５】
上記ステップＳ２０４は、２種類の実行結果を有し、以下で詳細に説明する。
【００３６】
第１の場合
上記監視結果が第１監視結果を含む場合、上記第１監視結果および上記配置情報に基づき、送信リソースで送信されるセル参照信号の送信電力を指定電力まで低減することは、
上記配置情報が上記時間領域電力制御として表される場合、シンボル０／１において、基地局によって規定された電力で上記セル参照信号を送信し、上記現在のセルのシンボル０／１以外の他のシンボルにおいて、上記第１電力レベルで上記セル参照信号を送信することと、
上記配置情報が上記周波数領域電力制御として表される場合、中心のＮ個のリソースブロックおよび上記スケジューリングされたリソースブロックにおいて、基地局によって規定された電力で上記セル参照信号を送信し、上記非スケジューリングされたリソースブロックにおいて、上記第１電力レベルで上記セル参照信号を送信することと、
上記配置情報が上記時間周波数領域電力制御として表される場合、シンボル０／１において、基地局によって規定された電力で上記セル参照信号を送信し、中心のＮ個のリソースブロックおよびスケジューリングされたリソースブロックにおいて、基地局によって規定された電力で上記セル参照信号を送信し、非スケジューリングされたリソースブロックにおいて、上記第１電力レベルで上記セル参照信号を送信することと、を含む。
【００３７】
第２の場合
一実施例において、上記方法は、
上記監視結果が第２監視結果を含む場合、上記現在のセル内の端末の全てがスリープ状態に入ったか否かを判断し、判断結果を取得することと、
上記第２監視結果、上記判断結果および上記配置情報に基づき、送信リソースで送信されるセル参照信号の送信電力を指定電力まで低減することと、を更に含む。
【００３８】
上記第２監視結果および上記判断結果に基づき、送信リソースで送信されるセル参照信号の送信電力を指定電力まで低減することは、
上記判断結果が、一部の端末がスリープ状態に入ったことを示し、且つ、上記配置情報が上記時間領域電力制御として表される場合、シンボル０／１において、基地局によって規定された電力で上記セル参照信号を送信し、上記現在のセルのシンボル０／１以外の他のシンボルにおいて、上記第１電力レベルで上記セル参照信号を送信することと、
上記判断結果が、一部の端末がスリープ状態に入ったことを示し、且つ、上記配置情報が上記周波数領域電力制御として表される場合、中心のＮ個のリソースブロックにおいて、基地局によって規定された電力で上記セル参照信号を送信し、上記中心のＮ個のリソースブロック以外の他のリソースブロックにおいて、上記第１電力レベルで上記セル参照信号を送信することと、
上記判断結果が、一部の端末がスリープ状態に入ったことを示し、且つ、上記配置情報が上記時間周波数領域電力制御として表される場合、シンボル０／１において、基地局によって規定された電力で上記セル参照信号を送信し、中心のＮ個のリソースブロックにおいて、基地局によって規定された電力で上記セル参照信号を送信し、非中心のＮ個のリソースブロックにおいて、上記第１電力レベルで上記セル参照信号を送信することと、
上記判断結果が、一部の端末がスリープ状態に入ったことを示す場合、中心のＮ個のリソースブロックにおいて、基地局によって規定された電力で上記セル参照信号を送信し、非中心のＮ個のリソースブロックにおいて、上記第２電力レベルで上記セル参照信号をすることと、を含む。
【００３９】
本発明の実施例において、Ｎの値は６であってもよい。
【００４０】
本発明の実施例におけるスケジューリングされたリソースブロックは、システムメッセージブロックスケジューリング、ページングスケジューリング、ＵＥスケジューリング等に関するリソースブロックを含む。
【００４１】
上記基地局のバックグラウンドの配置情報が時間領域電力制御である場合、影響する粒度はシンボルであり、上記基地局のバックグラウンドの配置情報が周波数領域電力制御である場合、影響する粒度はリソースブロック（Ｒｅｓｏｕｒｃｅ  Ｂｌｏｃｋ、ＲＢ）であり、バックグラウンドの配置が時間周波数領域電力制御である場合、影響する粒度はシンボルおよびＲＢである。通常、バックグラウンドは「時間周波数領域電力制御」に配置される。
【００４２】
以下、上記第１電力レベルおよび第２電力レベルについて説明し、それぞれ「一部の端末がスリープ（ＵＥ  ｓｌｅｅｐ）状態にある場合に低減される電力レベル」の電力および「全ての端末がスリープ（ＵＥ  ｓｌｅｅｐ）状態にある場合に低減される電力レベル」の電力とも呼ばれる。
【００４３】
非全ＵＥ  ｓｌｅｅｐ状態で低減される電力レベルとは、「全てのＵＥがｓｌｅｅｐ状態にあり、且つ、システムメッセージブロックスケジューリング、ページングスケジューリングがない」ことではない場合、非中心のＮ個のＲＢまたはいくつかのシンボルで送信される電力の電力レベルは配置可能であることを意味する。
【００４４】
全ＵＥ  ｓｌｅｅｐ状態で低減される電力レベルとは、全てのＵＥがｓｌｅｅｐ状態にあり、且つ、システムメッセージブロックスケジューリング、ページングスケジューリングがない場合、非中心のＮ個のＲＢで送信される電力の電力レベルは配置可能であることを意味する。
【００４５】
ここで、全ＵＥ  ｓｌｅｅｐ状態で低減される電力レベルおよび非全ＵＥ  ｓｌｅｅｐ状態で低減される電力レベルは、いずれも正常な電力レベル（関連技術における正常に送信する電力レベルと理解され得る）よりも低く、且つ、全ＵＥ  ｓｌｅｅｐ状態で低減される電力レベルおよび非全ＵＥ  ｓｌｅｅｐ状態で低減される電力レベルは、いずれも低減される電力のレベルに属し、且つ、互いに異なる。通常、低減される電力の値は、中間のＮ個のＲＢに対する電力オフセット値であり、一実施例において、Ｎの最小値は６であってもよい。
【００４６】
以下、実施例を参照しながら上記電力処理過程について説明する。
【００４７】
ＴＴＩレベルのリソースブロック（Ｒｅｓｏｕｒｃｅ  Ｂｌｏｃｋ、ＲＢ）レベルの粒度監視（上記ステップＳ２０２の実行動作に類似する）を行うと、関連する決定戦略は以下のとおりである。
【００４８】
本ＴＴＩ（すなわち、現在の伝送時間間隔）にスケジューリングされたＲＢがある場合：
【００４９】
基地局のバックグラウンドが時間領域電力制御に配置される場合、図３に示すように、シンボル０／１において正常な電力で送信し、シンボル０／１以外の他のシンボルにおいて電力を低減して送信する（すなわち、非全ＵＥ  ｓｌｅｅｐ状態で低減される電力レベルを使用する）。
【００５０】
基地局のバックグラウンドが周波数領域電力制御に配置される場合、図４に示すように、中心のＮ個のＲＢおよびスケジューリングされたＲＢで正常な送信電力を確保し、非スケジューリングされたＲＢで電力を低減して送信する（すなわち、非全ＵＥ  ｓｌｅｅｐ状態で低減される電力レベルを使用する）。
【００５１】
基地局のバックグラウンドが時間周波数領域電力制御に配置される場合、図５に示すように、シンボル０／１において正常な電力で送信し、シンボル０／１以外の他のシンボルにおいて、中心のＮ個のＲＢおよびスケジューリングされたＲＢで正常な送信電力を確保し、非スケジューリングされたＲＢで電力を低減して送信する（すなわち、非全ＵＥ  ｓｌｅｅｐ状態で低減される電力レベルを使用する）。
【００５２】
本ＴＴＩにスケジューリングされたＲＢがなく、且つ、一部のＵＥがｓｌｅｅｐ状態に入った場合、図３に示すように、基地局のバックグラウンドが時間領域電力制御に配置される場合、シンボル０／１において正常な電力で送信し、シンボル０／１以外の他のシンボルにおいて電力を低減して送信する（すなわち、非全ＵＥ  ｓｌｅｅｐ状態で低減される電力レベルを使用する）。
【００５３】
図６に示すように、基地局のバックグラウンドが周波数領域電力制御に配置される場合、中心のＮ個のＲＢで正常な送信電力を確保し、非中心のＮ個のＲＢで電力を低減して送信する（すなわち、非全ＵＥ  ｓｌｅｅｐ状態で低減される電力レベルを使用する）。
【００５４】
図７に示すように、基地局のバックグラウンドが時間周波数領域電力制御に配置される場合、シンボル０／１において正常な電力で送信し、シンボル０／１以外の他のシンボルにおいて、中心のＮ個のＲＢで正常な送信電力を確保し、非中心のＮ個のＲＢで電力を低減して送信する（すなわち、非全ＵＥ  ｓｌｅｅｐ状態で低減される電力レベルを使用する）。
【００５５】
図８に示すように、本ＴＴＩにスケジューリングされたＲＢがなく、且つ、全てのＵＥがｓｌｅｅｐ状態に入った場合、中心のＮ個のＲＢで正常な送信電力を確保するほか、非中心のＮ個のＲＢでいずれも電力を低減して送信する（すなわち、全ＵＥ  ｓｌｅｅｐ状態で低減される電力レベルを使用する）。
【００５６】
なお、シンボル０／１は、あるサブフレームのシンボル０／１である。全てのＵＥがＳｌｅｅｐ状態にあるか否かについての判断は、現在ＴＴＩでスケジューリングモジュールの全てがのＵＥの不連続的な受信状態に対する判断から得られる。簡単な実現形態として、ＵＥのｓｌｅｅｐ状態の値を１とし、非ｓｌｅｅｐ状態の値を０とし、全てのＵＥの不連続的な受信状態を論理積し、結果が１であれば、全てのＵＥがｓｌｅｅｐ状態に入ったと考え、そうでなければ、一部のＵＥがｓｌｅｅｐ状態に入ったと考える。本ＴＴＩにスケジューリングされたリソースブロックがあるか否か、および全てのＵＥがｓｌｅｅｐ状態にあるか否かという条件を同時に判断してもよく、１つの条件のみを判断してもよく、判断条件が異なると、対応する結果も異なる。時間周波数領域電力制御を例とし、現在ＴＴＩにスケジューリングがあるか否かという条件のみを判断する場合、スケジューリングされたリソースブロックがあれば、図５に示す処理フローを進み、スケジューリングされたリソースブロックがなければ、図７に示す処理フローを進む。全てのＵＥがｓｌｅｅｐ状態に入ったか否かのみを判断する場合、全てのＵＥがｓｌｅｅｐ状態に入り、且つ現在サブフレームがＳＩＢおよびページングサブフレームでなければ、図８に示す処理フローを進み、一部のＵＥがｓｌｅｅｐ状態に入れば、図７に示す処理フローを進む。
【００５７】
本発明の実施例に係る上記技術案を採用することにより、ＴＴＩレベルの電力、シンボル粒度およびＲＢ粒度のうちの少なくとも１種の監視および調整を行うことができ、電力制御の時間粒度および制御範囲粒度はいずれも微細である。ベアラなしのＲＢが電力を低減、更に送信しないことができ、このように、周辺セルへの影響を低減（低減の閾値は場合によって適宜配置されてもよい）する。本セル（すなわち、現在のセル）が省エネを実現できる。本セルによる他の隣接セルへの干渉は低下（配置状況に応じ）できる。ＵＥと隣接セルとはいずれもシグナリングの相互作用がなく、シグナリングの相互作用によるリソースの無駄を大幅に節約することができる。
【００５８】
上記実施例の技術案により、各セルにおいて最小粒度（シンボルおよびＲＢのうちの少なくとも１種）で自体の電力制御が行われる。各セルがいずれもこのようにすると、全体の電力使用効率は更に向上し、また、本発明の実施例に係る電力処理方法と従来の電力制御方法とを同時に使用してもよく、それぞれ使用してもよく、本発明の実施例はこれについて限定しない。
【００５９】
以上の実施形態の説明により、当業者は、上記実施例による方法がソフトウェアに必要な汎用ハードウェアプラットフォームを追加する方式で実現でき、もちろん、ハードウェアによっても実現できることが明らかに理解できる。本発明の技術案は、ソフトウェア製品の形態で具現化され得、該コンピュータソフトウェア製品は１つの記憶媒体（例えば、ＲＯＭ／ＲＡＭ、磁気ディスク、光ディスク）に記憶され、１台の端末装置（携帯電話、コンピュータ、サーバ、またはネットワーク装置等）によって本発明の実施例に記載の方法を実行するための複数の命令を含む。
【００６０】
実施例２
本実施例において、上記実施例および例示的な実施形態を実現するように構成される電力処理装置を更に提供し、説明した内容を省略する。以下に使用されるように、「モジュール」という用語は、所定の機能のソフトウェアおよびハードウェアのうちの少なくとも１種を実現することができる。以下の実施例に説明される装置は、ソフトウェアで実現できるが、ハードウェア、またはソフトウェアとハードウェアとの組み合わせによる実現も構想され得る。
【００６１】
図９は、本発明による実施例の電力処理装置の構造ブロック図であり、図９に示すように、該装置は、監視モジュール９０と低減モジュール９２とを備える。
【００６２】
監視モジュール９０は、所定の時間間隔で現在のセルのリソースブロックを監視し、監視結果を取得するように構成される。
【００６３】
低減モジュール９２は、上記監視結果に基づき、送信リソースで送信されるセル参照信号の送信電力を指定電力まで低減するように構成され、上記送信リソースは、少なくとも、シンボルおよび指定リソースブロックのうちの１つを含み、上記指定リソースブロックは、少なくとも、スケジューリングされたリソースブロック、非スケジューリングされたリソースブロック、および中心のＮ個のリソースブロックのうちの１つを含み、Ｎは正の整数である。
【００６４】
上記モジュールの作用により、所定の時間間隔で現在のセルのリソースブロックを監視することができるため、更に、送信リソースで送信されるセル参照信号の送信電力を柔軟に調整（低減動作）することができる。従って、セル参照信号の送信電力を低減することにより、セル参照信号による他のセルへの干渉を回避し、更に他のセルへの干渉を低減し、セルスループットを向上させることができる。
【００６５】
図１０は、本発明による実施例の電力処理装置の別の構造ブロック図であり、図１０に示すように、低減モジュール９２は、取得ユニット９２０と低減ユニット９２０とを備える。
【００６６】
取得ユニット９２０は、少なくとも時間領域電力制御、周波数領域電力制御、および時間周波数領域電力制御のうちの１つを含む基地局のバックグラウンドの配置情報を取得するように構成される。
【００６７】
低減ユニット９２０は、上記監視結果および上記配置情報に基づき、送信リソースで送信されるセル参照信号の送信電力を指定電力まで低減するように構成される。
【００６８】
一実施例において、監視モジュール９０は、前記所定の時間間隔内で、前記リソースブロックでスケジューリングされたリソースブロックが監視されたことを第１監視結果とし、前記所定の時間間隔内で、前記リソースブロックでスケジューリングされていないリソースブロックが監視されたことを第２監視結果とするように構成される。
【００６９】
図１０に示すように、前記装置は、少なくとも１つの電力レベルを配置するように構成される配置モジュール９４を更に備え、前記少なくとも１つの電力レベルは、いずれも基地局によって規定された電力レベルよりも小さく、且つ、前記少なくとも１つの電力レベルが複数の電力レベルである場合、前記複数の電力レベルは互いに異なり、複数の電力レベルを配置する際に、前記複数の電力レベルは第１電力レベルおよび第２電力レベルを含む。前記第１電力レベルは、一部の端末がスリープ状態にある場合、非中心のＮ個のリソースブロックまたは指定シンボルで送信される電力レベルを含み、前記第２電力レベルは、全ての端末がスリープ状態にある場合、非中心のＮ個のリソースブロックで送信される電力レベルを含む。
【００７０】
一実施例において、低減モジュール９２は、更に、前記配置情報が前記時間領域電力制御として表される場合、シンボル０／１において、基地局によって規定された電力で前記セル参照信号を送信し、前記現在のセルのシンボル０／１以外の他のシンボルにおいて、前記第１電力レベルで前記セル参照信号を送信し、前記配置情報が前記周波数領域電力制御として表される場合、中心のＮ個のリソースブロックおよび前記スケジューリングされたリソースブロックにおいて、基地局によって規定された電力で前記セル参照信号を送信し、前記非スケジューリングされたリソースブロックにおいて、前記第１電力レベルで前記セル参照信号を送信し、前記配置情報が前記時間周波数領域電力制御として表される場合、シンボル０／１において、基地局によって規定された電力で前記セル参照信号を送信し、中心のＮ個のリソースブロックおよびスケジューリングされたリソースブロックにおいて、基地局によって規定された電力で前記セル参照信号を送信し、非スケジューリングされたリソースブロックにおいて、前記第１電力レベルで前記セル参照信号を送信するように構成される。
【００７１】
一実施例において、低減モジュール９２は、更に、前記監視結果が前記第２監視結果を含む場合、前記現在のセル内の端末の全てがスリープ状態に入ったか否かを判断し、判断結果を取得し、前記第２監視結果、前記判断結果および前記配置情報に基づき、送信リソースで送信されるセル参照信号の送信電力を指定電力まで低減するように構成される。
【００７２】
一実施例において、低減モジュール９２は、更に、前記判断結果が、一部の端末がスリープ状態に入ったことを示し、且つ、前記配置情報が前記時間領域電力制御として表される場合、シンボル０／１において、基地局によって規定された電力で前記セル参照信号を送信し、前記現在のセルのシンボル０／１以外の他のシンボルにおいて、前記第１電力レベルで前記セル参照信号を送信し、前記判断結果が、一部の端末がスリープ状態に入ったことを示し、且つ、前記配置情報が前記周波数領域電力制御として表される場合、中心のＮ個のリソースブロックにおいて、基地局によって規定された電力で前記セル参照信号を送信し、前記中心のＮ個のリソースブロック以外の他のリソースブロックにおいて、前記第１電力レベルで前記セル参照信号を送信し、前記判断結果が、一部の端末がスリープ状態に入ったことを示し、且つ、前記配置情報が前記時間周波数領域電力制御として表される場合、シンボル０／１において、基地局によって規定された電力で前記セル参照信号を送信し、中心のＮ個のリソースブロックにおいて、基地局によって規定された電力で前記セル参照信号を送信し、非中心のＮ個のリソースブロックにおいて、前記第１電力レベルで前記セル参照信号を送信し、前記判断結果が、一部の端末がスリープ状態に入ったことを示す場合、中心のＮ個のリソースブロックにおいて、基地局によって規定された電力で前記セル参照信号を送信し、非中心のＮ個のリソースブロックにおいて、前記第２電力レベルで前記セル参照信号を送信するように構成される。
【００７３】
なお、上記複数のモジュールはソフトウェアまたはハードウェアによって実現でき、後者は、上記モジュールがいずれも同一プロセッサに位置する形態、または、上記複数のモジュールが任意の組み合わせの形態でそれぞれ異なるプロセッサに位置する形態によって実現できるが、これに限定されない。
【００７４】
実施例３
本発明の実施例において、図１１に示すように、プロセッサ１１０と、プロセッサ実行可能命令を記憶するように構成されるメモリ１１２とを備える、電力処理装置を更に提供する。
【００７５】
ここで、プロセッサ１１０は、所定の時間間隔で現在のセルのリソースブロックを監視し、監視結果を取得し、上記監視結果に基づき、送信リソースで送信されるセル参照信号の送信電力を指定電力まで低減するために使用される。ここで、上記送信リソースは、少なくとも、シンボルおよび指定リソースブロックのうちの１つを含み、上記指定リソースブロックは、少なくとも、スケジューリングされたリソースブロック、非スケジューリングされたリソースブロック、および中心のＮ個のリソースブロックのうちの１つを含み、Ｎは正の整数である。
【００７６】
上記プロセッサとメモリとの相互作用により、所定の時間間隔で現在のセルのリソースブロックを監視することができ、更に、送信リソースで送信されるセル参照信号の送信電力を柔軟に調整（低減動作）することができ、従って、セル参照信号の送信電力を低減することにより、セル参照信号による他のセルへの干渉を回避し、更に他のセルへの干渉を低減し、セルスループットを向上させることができる。
【００７７】
プロセッサ１１０は、更に、少なくとも時間領域電力制御、周波数領域電力制御、および時間周波数領域電力制御のうちの１つを含む基地局のバックグラウンドの配置情報を取得し、上記監視結果および上記配置情報に基づき、送信リソースで送信されるセル参照信号の送信電力を指定電力まで低減するように構成される。
【００７８】
なお、上記実施例１〜実施例３の技術案は、組み合わせて使用されてもよく、単独に使用されてもよく、本発明の実施例はこれについて限定しない。
【００７９】
以下、複数の例示的な実施例を参照しながら、上記技術案について説明するが、本発明の実施例の技術案を限定するものではない。
【００８０】
例示的な実施例１（セル内にＵＥスケジューリングがある場合−時間領域電力制御）
例示的な実施例１は、ステップ１０、ステップ１５、ステップ２０、ステップ３０およびステップ４０を含む。
【００８１】
ステップ１０において、バックグラウンドは、配置モジュールにより、全ＵＥ  ｓｌｅｅｐ状態で低減される電力レベルおよび非全ＵＥ  ｓｌｅｅｐ状態で低減される電力レベルを決定モジュールに配置し、本発明の実施例における配置モジュール、決定モジュール、および前述したスケジューリングモジュールは基地局内に設置されてもよい。
【００８２】
ステップ１５において、基地局のバックグラウンドの配置は、時間領域電力制御を選択する。
【００８３】
ステップ２０において、基地局媒体アクセス制御（Ｍｅｄｉａ  Ａｃｃｅｓｓ  Ｃｏｎｔｒｏｌ、ＭＡＣ）層は、各ＴＴＩで本セルのＰＤＳＣＨスケジューリング状況を収集する。
【００８４】
ステップ３０において、基地局ＭＡＣ層は、本セルの全てのＲＢスケジューリング状況を監視し、現在状態がＵＥスケジューリングを有すると判断する。
【００８５】
ステップ４０において、基地局ＭＡＣ層は、シンボル０／１においてＣＲＳを正常に送信し、他のシンボルにおいてＣＲＳを非全ＵＥ  ｓｌｅｅｐ状態で低減される電力レベルの電力で送信する。
【００８６】
例示的な実施例２（セル内にＵＥスケジューリングがある場合−周波数領域電力制御）
例示的な実施例２は、ステップ１０、ステップ１５、ステップ２０、ステップ３０およびステップ４０を含む。
【００８７】
ステップ１０において、バックグラウンドは、配置モジュールにより、全ＵＥ  ｓｌｅｅｐ状態で低減される電力レベルおよび非全ＵＥ  ｓｌｅｅｐ状態で低減される電力レベルを決定モジュールに配置する。
【００８８】
ステップ１５において、基地局のバックグラウンドの配置は、周波数領域電力制御を選択する。
【００８９】
ステップ２０において、基地局ＭＡＣ層は、各ＴＴＩで本セルのＰＤＳＣＨスケジューリング状況を収集する。
【００９０】
ステップ３０において、基地局ＭＡＣ層は、本セルの全てのＲＢスケジューリング状況を監視し、現在状態がＵＥスケジューリングを有すると判断する。
【００９１】
ステップ４０において、基地局ＭＡＣ層は、中間の６個のＲＢおよび全てのスケジューリングされたＲＢで正常な電力でＣＲＳを送信し、全ての非スケジューリングされたＲＢで、非全ＵＥ  ｓｌｅｅｐ状態で低減される電力レベルのＪ２電力でＣＲＳを送信する。
【００９２】
例示的な実施例３（セル内にＵＥスケジューリングがある場合−時間周波数領域電力制御）
例示的な実施例３は、ステップ１０、ステップ１５、ステップ２０、ステップ３０およびステップ４０を含む。
【００９３】
ステップ１０において、バックグラウンドは、配置モジュールにより、全ＵＥ  ｓｌｅｅｐ状態で低減される電力レベルおよび非全ＵＥ  ｓｌｅｅｐ状態で低減される電力レベルを決定モジュールに配置する。
【００９４】
ステップ１５において、基地局のバックグラウンドの配置は、時間周波数領域電力制御を選択する。
【００９５】
ステップ２０において、基地局ＭＡＣ層は、各ＴＴＩで本セルのＰＤＳＣＨスケジューリング状況を収集する。
【００９６】
ステップ３０において、基地局ＭＡＣ層は、本セルの全てのＲＢスケジューリング状況を監視し、現在状態がＵＥスケジューリングを有すると判断する。
【００９７】
ステップ４０において、基地局ＭＡＣ層は、シンボル０／１において正常な電力で送信し、シンボル０／１以外の他のシンボルにおいて、中心のＮ個のＲＢおよびスケジューリングされたＲＢで正常な送信電力を確保し、非スケジューリングされたＲＢで、非全ＵＥ  ｓｌｅｅｐ状態で低減される電力レベルの電力で送信する。
【００９８】
例示的な実施例４（セル内にスケジューリングＵＥがなく、一部のＵＥがＳｌｅｅｐ状態に入った−時間領域電力制御）
例示的な実施例４は、ステップ１０、ステップ１５、ステップ２０、ステップ３０およびステップ４０を含む。
【００９９】
ステップ１０において、バックグラウンドは、配置モジュールにより、全ＵＥ  ｓｌｅｅｐ状態で低減される電力レベルおよび非全ＵＥ  ｓｌｅｅｐ状態で低減される電力レベルを決定モジュールに配置する。
【０１００】
ステップ１５において、バックグラウンドの配置は、時間領域電力制御を選択する。
【０１０１】
ステップ２０において、基地局ＭＡＣ層は、各ＴＴＩで本セルのＰＤＳＣＨスケジューリング状況を収集する。
【０１０２】
ステップ３０において、基地局ＭＡＣ層は、本セルの全てのＲＢスケジューリング状況を監視し、現在状態がＵＥスケジューリングを有せず、且つ、一部のＵＥがｓｌｅｅｐ状態に入ったと判断する。
【０１０３】
ステップ４０において、基地局ＭＡＣ層は、シンボル０／１において正常な電力でＣＲＳを送信し、シンボル０／１以外の他のシンボルにおいて、非全ＵＥ  ｓｌｅｅｐ状態で低減される電力レベルのＪ２電力でＣＲＳを送信する。
【０１０４】
例示的な実施例５（セル内にスケジューリングＵＥがなく、一部のＵＥがＳｌｅｅｐ状態に入った−周波数領域電力制御）
例示的な実施例５は、ステップ１０、ステップ１５、ステップ２０、ステップ３０およびステップ４０を含む。
【０１０５】
ステップ１０において、バックグラウンドは、配置モジュールにより、全ＵＥ  ｓｌｅｅｐ状態で低減される電力レベルおよび非全ＵＥ  ｓｌｅｅｐ状態で低減される電力レベルを決定モジュールに配置する。
【０１０６】
ステップ１５において、バックグラウンドの配置は、周波数領域制御を選択する。
【０１０７】
ステップ２０において、基地局ＭＡＣ層は、各ＴＴＩで本セルのＰＤＳＣＨスケジューリング状況を収集する。
【０１０８】
ステップ３０において、基地局ＭＡＣ層は、本セルの全てのＲＢスケジューリング状況を監視し、現在状態がＵＥスケジューリングを有せず、且つ、一部のＵＥがｓｌｅｅｐ状態に入ったと判断する。
【０１０９】
ステップ４０において、基地局ＭＡＣ層は、中間の６個のＲＢのみにおいて、正常な電力でＣＲＳを送信し、且つ、中間の６個のＲＢ以外の他のＲＢにおいて、非全ＵＥ  ｓｌｅｅｐ状態で低減される電力レベルのＪ２電力でＣＲＳを送信する。
【０１１０】
例示的な実施例６（セル内にスケジューリングＵＥがなく、一部のＵＥがｓｌｅｅｐ状態に入った−時間周波数領域電力制御）
例示的な実施例６は、ステップ１０、ステップ１５、ステップ２０、ステップ３０およびステップ４０を含む。
【０１１１】
ステップ１０において、バックグラウンドは、配置モジュールにより、全ＵＥ  ｓｌｅｅｐ状態で低減される電力レベルおよび非全ＵＥ  ｓｌｅｅｐ状態で低減される電力レベルを決定モジュールに配置する。
【０１１２】
ステップ１５において、バックグラウンドの配置は、時間周波数領域電力制御を選択する。
【０１１３】
ステップ２０において、基地局ＭＡＣ層は、各ＴＴＩで本セルのＰＤＳＣＨスケジューリング状況を収集する。
【０１１４】
ステップ３０において、基地局ＭＡＣ層は、本セルの全てのＲＢスケジューリング状況を監視し、現在状態がＵＥスケジューリングを有せず、且つ、一部のＵＥがｓｌｅｅｐ状態に入ったと判断する。
【０１１５】
ステップ４０において、基地局ＭＡＣ層は、シンボル０／１のみにおいて正常な電力で送信し、シンボル０／１以外の他のシンボルにおいて、中心の６個のＲＢで正常な送信電力を確保し、非中心のＮ個のＲＢで非全ＵＥ  ｓｌｅｅｐ状態で低減される電力レベルのＪ２電力で送信する。
【０１１６】
例示的な実施例７（セル内の全てのＵＥがＳｌｅｅｐ状態に入った−任意の領域を配置する）
例示的な実施例７は、ステップ１０、ステップ１５、ステップ２０、ステップ３０およびステップ４０を含む。
【０１１７】
ステップ１０において、バックグラウンドは、配置モジュールにより、全ＵＥ  ｓｌｅｅｐ状態で低減される電力レベルおよび非全ＵＥ  ｓｌｅｅｐ状態で低減される電力レベルを決定モジュールに配置する。
【０１１８】
ステップ１５において、バックグラウンドの配置は、周波数領域／時間領域／時間周波数領域電力制御を選択する。
【０１１９】
ステップ２０において、基地局ＭＡＣ層は、各ＴＴＩで本セルのＰＤＳＣＨスケジューリング状況を収集する。
【０１２０】
ステップ３０において、基地局ＭＡＣ層は、本セルの全てのＲＢスケジューリング状況を監視し、現在状態がＵＥスケジューリングを有せず、且つ、ＵＥの全てがｓｌｅｅｐ状態に入ったと判断する。
【０１２１】
ステップ４０において、基地局ＭＡＣ層は、中間の６個のＲＢで正常な電力でＣＲＳを送信し、且つ、中間の６個のＲＢ以外の他のＲＢで、全ＵＥ  ｓｌｅｅｐ状態で低減される電力レベルのＪ１電力でセル参照信号ＣＲＳを送信する。
【０１２２】
例示的な実施例８（セル電力の粗調整と微調整とが両立する）
例示的な実施例８は、ステップ１０およびステップ２０を含む。
【０１２３】
ステップ１０において、セルは、下り開ループ電力制御を行い、修正周期が長く、更に主に「正常な電力」を送信することを確定する。
【０１２４】
ステップ２０において、基地局ＭＡＣ層はＴＴＩ監視を行い、配置、決定、実行モジュールと協働して電力送信範囲の調整および局所的な電力の大きさの微調整を行う。
【０１２５】
上記実施例および例示的な実施例に係る技術案は、ＣＲＳに基づく適用において、以下の技術的効果を達成することができる。ＵＥと周辺の隣接セルと相互作用を行う必要がなく、自体のスケジューリング状況に応じて不要なＣＲＳ送信をできるだけ減少し、また、他のセルへの干渉影響を減少し、ネットワークにおけるＳＩＮＲを向上させ、２５６直交振幅変調（Ｑｕａｄｒａｔｕｒｅ  Ａｍｐｌｉｔｕｄｅ  Ｍｏｄｕｌａｔｉｏｎ、ＱＡＭ）の利用可能な割合を向上させ、ユーザレート（セルのユーザの下り平均レート）を向上させることができ、１つの実施形態において、下りユーザレートを５０％向上させることができ、ネットワークスループットを１０％向上させることができる。
【０１２６】
一実施例において、ＣＲＳ干渉を減少するとともに、端末のチャネル推定、復調、測定フィードバックへの影響をできるだけ低減し、重要なシグナリングおよび主要なＫＰＩが影響を受けないことにより、同時に環境にやさしい省エネを実現することができる。また、上記技術案は、いくつかの特殊なニーズおよび第三者による測定の要求をいずれも満たすことができ、ネットワークを最適化することができる。
【０１２７】
実施例４
本発明の実施例は、実行されると、上記いずれか１項に記載の方法を実行する記憶されたプログラムを含む記憶媒体を更に提供する。
【０１２８】
一実施例において、本実施例では、上記記憶媒体は、ステップＳ１およびステップＳ２を実行するためのプログラムコードを記憶するように構成されてもよい。
【０１２９】
ステップＳ１において、所定の時間間隔で現在のセルのリソースブロックを監視し、監視結果を取得する。
【０１３０】
ステップＳ２において、前記監視結果に基づき、送信リソースで送信されるセル参照信号の送信電力を指定電力まで低減する。ここで、前記送信リソースは、少なくとも、シンボルおよび指定リソースブロックのうちの１つを含み、前記指定リソースブロックは、少なくとも、スケジューリングされたリソースブロック、非スケジューリングされたリソースブロック、および中心のＮ個のリソースブロックのうちの１つを含み、Ｎは正の整数である。
【０１３１】
一実施例において、記憶媒体は、更に、ステップＳ３およびステップＳ４を実行するためのプログラムコードを記憶するように構成される。
【０１３２】
ステップＳ３において、少なくとも時間領域電力制御、周波数領域電力制御、および時間周波数領域電力制御のうちの１つを含む基地局のバックグラウンドの配置情報を取得する。
【０１３３】
ステップＳ４において、前記監視結果および前記配置情報に基づき、送信リソースで送信されるセル参照信号の送信電力を指定電力まで低減する。
【０１３４】
一実施例において、本実施例では、上記記憶媒体は、ＵＳＢ、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、リムーバブルハードディスク、磁気ディスクまたは光ディスク等のプログラムコードを記憶できる複数種の媒体を含んでもよいが、これらに限定されない。
【０１３５】
一実施例において、本実施例における例は、上記実施例および好ましい実施形態に説明される例を参照することができ、本実施例はここで省略する。
【０１３６】
上記本発明のモジュールまたはステップは、汎用の計算装置により実現でき、単一の計算装置に集中されてもよく、または複数の計算装置からなるネットワークに分布されてもよい。一実施例において、上記本発明のモジュールまたはステップは、計算装置実行可能なプログラムコードにより実現でき、これにより、上記本発明のモジュールまたはステップを記憶装置に記憶して計算装置で実行することができ、且つ、場合によって、ここでの順序と異なる順序で示されるまたは説明されるステップを実行することができ、またはそれらをそれぞれ複数の集積回路モジュールとして作製し、またはそれらのうちの複数のモジュールまたはステップを、単一の集積回路モジュールとして作製して実現する。このように、本発明は、特定のハードウェアとソフトウェアとの任意の組み合わせに限定されない。
【図１】
0006900520.tif 000002
【図２】
0006900520.tif 000003
【図３】
0006900520.tif 000004
【図４】
0006900520.tif 000005
【図５】
0006900520.tif 000006
【図６】
0006900520.tif 000007
【図７】
0006900520.tif 000008
【図８】
0006900520.tif 000009
【図９】
0006900520.tif 000010
【図１０】
0006900520.tif 000011
【図１１】
0006900520.tif 000012